(57)【要約】【課題】本発明は高層建築物等の各戸に設置されるＩＨ調理器におけるＩＨインバータ電源２の伝導ノイズによる電力低減を回復することを目的とする。【解決手段】電磁誘導加熱装置１において、加熱用インバータ電源２の一次側に交流電源３を配線４で接続し、該配線４の上記インバータ電源２にリアクタンス回路５を介在させて雑音電圧を低減することを特徴とする電磁誘導加熱装置における雑音端子電圧低減装置により構成する。【効果】電磁加熱用インバータ電源の伝導ノイズ等を低減し得て、ＩＨ調理器を効率良く使用し得る。【選択図】  図１
2004303534.tif 000002
【特許請求の範囲】
【請求項１】
電磁誘導加熱装置において、電磁加熱用インバータ電源の一次側に交流電源をケーブルで接続し、該ケーブルに磁性体コアを介在させて雑音電圧を低減することを特徴とする電磁誘導加熱装置における雑音端子電圧低減装置。
【請求項２】
上記ケーブルは三相交流電線とアース電線であり、これらの電線を上記磁性体コアに少なくとも１回巻回してなる請求項１記載の電磁誘導加熱装置における雑音端子電圧低減装置。
【請求項３】
上記磁性体コアにフェライトコアを用いる請求項１又は２記載の電磁誘導加熱装置における雑音端子電圧低減装置。
【発明の詳細な説明】
【０００１】
【発明の属する技術分野】
本発明は電磁誘導加熱装置のＩＨインバータの一次側交流電源において伝導ノイズ等の雑音端子電圧を低減する技術分野に関するものである。
【０００２】
【従来の技術】
従来、弱電機器にはノイズ除去フィルターが用いられ情報通信機器を発展させた（例えば特許文献１，２，３，４，５，６）。
【０００３】
一方、電磁調理機器など電力機器のインバータ電源では、雑音端子電圧の低減にコイルとコンデンサー等による低域濾波回路をインバータ電源回路内に組み込むことが行われている。
【０００４】
ところが、電磁調理機器において、電磁加熱用インバータ電源と加熱コイルを分離して設置する場合、上記インバータ電源から加熱コイルまでのケーブルにおける電磁波漏洩が問題となる。
【０００５】
また、電磁調理器が例えば高層住宅等の各戸に設けられるような場合に、交流電源とインバータ電源との距離が大となり長距離電磁誘導配電線が必要となった。
【０００６】
しかし長距離電磁誘導配電線において、正逆誘導多芯絶縁ケーブルは正逆誘導単芯絶縁ケーブル相互の磁束は打消されるものの、多芯絶縁ケーブル内では単芯絶縁ケーブルが縦断面アトランダムに輻輳しているため磁束の打消しに基づく電磁波漏洩の抑制、及び伝導ノイズの低減は困難であった（例えば特許文献１〜６）。
【０００７】
また、上述の一般的な低域濾波回路では、それ自体高価であって電磁誘導加熱装置の高コスト化を招くと共に、当該回路は１５０ＫＨｚから１ＭＨｚ程度の比較的低い周波数のノイズ除去には効果があるが、電磁誘導加熱装置において生ずるそれ以上の高い周波数のノイズを除去するのは難しい。
【０００８】
特に、加熱コイルを分離設置する場合に、電磁誘導加熱装置全体としてインバータ電源回路内蔵型の低域濾波回路では除去し難い、より高い周波数の伝導ノイズ等を除去する必要性がある。
【０００９】
又電磁調理器用加熱補助具があった（例えば特許文献７）。
【００１０】
しかし加熱板を熱伝導率の低い非磁性材料を用いるもので電磁調理器から発生する磁力線の効率に関するものではない。
【００１１】
【発明が解決しようとする課題】
本発明は、例えば高層マンション等の各戸に設置されるような電磁誘導加熱調理器等において、低コストでＩＨインバータ電源の雑音端子電圧を低減することのできる電磁誘導加熱装置における雑音端子電圧低減装置を提供することを目的とする。
【００１２】
【特許文献１】
特開平１０−３０２９５７号公報
【特許文献２】
特開２００１−１８５８９１号公報
【特許文献３】
特開２０００−３３１８３６号公報
【特許文献４】
特開平８−１８２１９３号公報
【特許文献５】
特開平９−１８１８５号公報
【特許文献６】
特開平６−１３７８２号公報
【特許文献７】
実開昭６３−７２８８９号公報
【００１３】
【課題を解決するための手段】
上記の目的を達成するため本発明は
第１に、電磁誘導加熱装置において、電磁加熱用インバータ電源の一次側に交流電源をケーブルで接続し、該ケーブルに磁性体コアを介在させて雑音電圧を低減することを特徴とする電磁誘導加熱装置における雑音端子電圧低減装置により構成されるものである。
【００１４】
第２に、上記ケーブルは三相交流電線とアース電線であり、これらの電線を上記磁性体コアに少なくとも１回巻回してなる上記第１記載の電磁誘導加熱装置における雑音端子電圧低減装置により構成されるものである。
【００１５】
第３に、上記磁性体コアにフェライトコアを用いる上記第１又は２記載の電磁誘導加熱装置における雑音端子電圧低減装置により構成されるものである。
【００１６】
このように構成すると、インバータ電源回路に内蔵される低域濾波回路では除去し難いより高い周波数の伝導ノイズ、輻射ノイズ等を効果的に低減し得る。
【００１７】
【発明の実施の形態】
高層マンションの各戸に設けられた電磁誘導加熱装置１例えばＩＨ調理装置において、上記ＩＨ調理装置１にはＩＨ調理器用のワークコイル６が設けられ、その直近に電磁加熱用インバータ電源２が設けられ短い正逆誘導多芯ケーブル７で接続される。
【００１８】
しかし、電磁加熱用インバータ電源２の一次側には三相交流電源３が三相ケーブル４で接続されているため雑音端子電圧が上記インバータ電源２の一次側に印加される。
【００１９】
本発明では上記インバータ電源２の一次側直近の上記三相ケーブル４にリアクタンス回路としての磁性体コア（トロイダルコア）５を介在させるもので、磁性体コア５にはフェライトコア５’（図１、２）が用いられる。
【００２０】
図１に示すように三相交流ケーブル４，４，４及びインバータ電源２のアースケーブル８をピロブロック形フェライトコア５’の中央透孔５”を経て、該透孔５”の外周本体にそれぞれ巻回すことによってリアクタンス回路５（図１）が形成され、上記インバータ電源２の伝導ノイズ、輻射ノイズを減衰させ、これにより一次側雑音端子電圧を低減する。
【００２１】
そのためＩＨインバータ電源２による誘導電圧の変動が緩和され電磁誘導加熱調理器６（ＩＨ調理器）の加熱安定性が改善される。
【００２２】
上記各ケーブルの巻回数は、少なくとも１回であるが、各ケーブルを各々３ターン程度巻回することにより、フェライトコア５’のインピーダンスを高くでき、不要な輻射ノイズ、伝導ノイズの減衰効果をより高めることができる。
【００２３】
ピロブロック形フェライトコア５’の一般的成分は表１に示すとおりであり、いずれでも良いが、ニッケル系（ニッケルジンク）は５ＭＨｚから３０ＭＨｚ、或いはそれ以上の高い周波数のノイズ除去に効果があり、主に輻射ノイズの除去に効果的である。またマンガン系（マンガンジンク）はより低い周波数（１ＭＨｚから５ＭＨｚ）のノイズ除去に効果があり、主に伝導ノイズの除去に効果を発揮する。
【００２４】
【表１】
2004303534.tif 000003
【００２５】
尚図中９で示すものはピロブロック形フェライトコア５’の取付板、１０は取付用ボルト孔、１１は操作パネルである。
【００２６】
上述のように、本発明によれば電磁誘導加熱装置において、交流電源と電磁加熱用インバータ電源回路との間にフェライトコアを設け、上記インバータ電源回路の一次側電源ケーブルを上記フェライトコアの中央透孔に３回程度巻回してなるものであるから、１ＭＨｚ以上の高周波伝導ノイズ、輻射ノイズを効果的に除去し得る。
【００２７】
特に交流電源から電磁加熱用インバータ電源までの距離が長い場合、或いは電磁加熱用インバータと加熱コイルを比較的長いケーブルを介して分離して設置する場合等において、各ケーブルからの電磁漏洩を抑制し得て、電磁誘導加熱装置の雑音端子電圧の低減に極めて有効である。
【００２８】
また、電磁加熱用インバータ電源回路内に内蔵される低域濾波回路では除去が難しい高い周波数（１ＭＨｚから３０ＭＨ、或いはそれ以上）の伝導ノイズ、輻射ノイズを効果的に減衰させることができるものである。
【００２９】
【発明の効果】
本発明は上述のように構成したので、電磁誘導加熱装置において、電磁加熱用インバータ電源の伝導ノイズ等を低減し得て、例えば多量に設置される高層建築物の各戸のＩＨ調理器を効率良く使用し得る効果がある。
【図面の簡単な説明】
【図１】本発明の電磁誘導加熱装置における雑音端子電圧低減装置を示す平面図である。
【図２】ピロブロック形フェライトコアの斜視図である。
【符号の説明】
１      電磁誘導加熱装置
２      加熱用インバータ電源
３      交流電源
４      配線
５      リアクタンス回路
５’    フェライトコア
【図１】
2004303534.tif 000004
【図２】
2004303534.tif 000005